(57)【要約】【課題】かしめ固定による光源の歪や破壊を防ぎ、且つ、かしめ固定後の環境変動に対する光源の保持性能が良い光源保持ホルダ、レーザ走査光学装置、画像形成装置、及び固定方法を提供する。【解決手段】光源保持ホルダ２０において、第１突起部３２，３５がかしめ治具に押圧された際、一端３２ａ，３５ａ回りに回動し、第１突起部３２，３５が第１スペース部４１ｂ，４２ｂの上面に密着した状態へと塑性変形するとともに第２突起部３３，３６の先端３３ａ，３６ａ近傍が光源１１の本体上端１３ａと当接して当該光源１１を上方より押圧するように構成した。【選択図】図７
2012113005.tif 000002
【特許請求の範囲】
【請求項１】
光源を保持する光源保持ホルダであって、
本体部と、
前記光源を挿入させ、当該挿入させた光源の光軸方向の位置決め用の座面部を有し、前記本体部を前記光軸方向に貫通する挿入孔と、
前記挿入孔の縁より間隙部を隔てた位置に設けられ、前記本体部の上面に一端が固着され上方へ向けて突起した突起部と、
を備え、
前記座面部は、前記光源の本体上端が前記突起部の最下端よりも上方に位置するように前記光源を位置決めし、
前記突起部は、前記一端の近傍である一端近傍部が治具に押圧された際、前記一端回りに回動し、前記一端近傍部が前記間隙部の上面に密着した状態へと塑性変形するとともに、当該突起部の他端の近傍である他端近傍部が前記挿入孔に挿入された光源の本体上端と当接して当該光源を上方より押圧することを特徴とする光源保持ホルダ。
【請求項２】
請求項１に記載の光源保持ホルダであって、
前記塑性変形した前記一端近傍部の前記他端近傍部側の端部の位置から前記他端近傍部が前記光源の本体上端と当接する当接位置までの前記挿入孔に挿入された光源の径方向における長さは、前記間隙部の上面の位置から前記当接位置までの前記光軸方向における長さよりも長いことを特徴とする光源保持ホルダ。
【請求項３】
請求項１又は２に記載の光源保持ホルダであって、
前記間隙部は、前記本体部を前記光軸方向に貫通する孔又は前記本体部を上面よりくり抜いた溝を備えることを特徴とする光源保持ホルダ。
【請求項４】
請求項３に記載の光源保持ホルダであって、
前記孔又は溝の前記突起部の幅方向と平行な方向における長さは、当該突起部の幅方向における長さよりも長いことを特徴とする光源保持ホルダ。
【請求項５】
半導体レーザ光を出射可能な光源を保持する請求項１〜４の何れか１項に記載の光源保
持ホルダと、
前記光源より出射される半導体レーザ光を平行光化する第一の光学系と、
前記第一の光学系により平行光化された半導体レーザ光を副走査方向について収束光に変換する第二の光学系と、
前記第二の光学系により収束光に変換された半導体レーザ光を偏向する偏向器と、
前記偏向器にて偏向された半導体レーザ光を感光体上に集光する第三の光学系と、
を備えることを特徴とするレーザ走査光学装置。
【請求項６】
請求項５に記載のレーザ走査光学装置を備えたことを特徴とする画像形成装置。
【請求項７】
光源を保持するための光源保持ホルダに前記光源を固定する固定方法であって、
前記光源保持ホルダは、本体部と、前記光源を挿入させ当該挿入させた光源の光軸方向の位置決め用の座面部を有し前記本体部を前記光軸方向に貫通する挿入孔と、前記挿入孔の縁より間隙部を隔てた位置に設けられ前記本体部の上面に一端が固着され上方へ向けて突起した突起部と、を有し、
前記座面部により前記光源の本体上端が前記突起部の最下端よりも上方に位置するように位置決めした光源を前記挿入孔に挿入させるステップと、
前記突起部の前記一端の近傍である一端近傍部を治具で押圧し、当該突起部を前記一端回りに回動させるステップと、
回動させた前記突起部の一端近傍部を前記間隙部の上面に密着させて塑性変形させるステップと、
回動させた前記突起部の他端の近傍である他端近傍部を前記挿入孔に挿入された光源の本体上端と当接させて当該光源を上方より押圧するステップと、
を備えることを特徴とする固定方法。
【発明の詳細な説明】
【技術分野】
【０００１】
本発明は、光源保持ホルダ、レーザ走査光学装置、画像形成装置、及び光源保持ホルダに光源を固定する固定方法に関する。
【背景技術】
【０００２】
従来、レーザプリンタや複写機には、光源保持ホルダに保持された光源より出射される半導体レーザを用いて、感光体を走査するためのレーザ走査光学装置が備わる。当該レーザ走査光学装置は、レーザプリンタや複写機による画像形成処理を高速化又は、高密度化するために、マルチビーム方式における（複数の光源を用いて半導体レーザが感光体を同時に走査する）ビーム本数を増加させる、又は、感光体を露光するビーム径を小径化する、等の手法がとられている。
【０００３】
このような手法を行う上では、マルチビーム方式におけるビーム本数を増加させるにつれてビーム相互間の相対位置（ビームピッチ）の位置取りが重要になり、ビーム径を小径化させるにつれてビーム径の変化量の抑制が重要となる。そのため、レーザ走査光学装置では、ビーム相互間の相対位置やビーム径に対する誤差への感度が非常に高い光源を、どのように光源保持ホルダに固定させるかが肝要である。
【０００４】
例えば、光源を固定する手法としては、光源保持ホルダに形成された挿入孔に光源を挿入した状態で、光源を光源保持ホルダにネジ止めする、板ばねにより光源を光源保持ホルダへ押圧する、光源を光源保持ホルダへ圧入する、光源を光源保持ホルダにレーザ溶接する、等がある。
しかしながら、ネジ止めの手法では、締め付けトルクのバラツキが避けられないため、外力による振動等でネジに緩みが生じるおそれがある。また、押圧の手法では、部品点数が増加するにつれて板ばねのばね定数にバラツキが生じることで、押圧力にもバラツキが生じて信頼性が低下するおそれがある。また、圧入の手法では、光源の外周部の寸法公差幅が比較的大きいため、挿入孔の孔径の基準寸法を小さめにする必要があるので、光源保持ホルダの材質に弾性変形し易い樹脂材等の制限をもたらすおそれがある。また、レーザ溶接の手法では、光源を光源保持ホルダに確実に保持することが期待できるが、光源保持ホルダの位置決め等に手間がかかる、溶接設備の設置にコストがかさむ、などのおそれがある。
【０００５】
そのため、上記のような問題点を思慮に入れると、挿入孔に光源を挿入した状態で、光源保持ホルダに設けた突起部を光源に被さるように塑性変形させて光源を固定するかしめ固定の手法が考えられる。ただし、かしめ固定の手法では、突起部を塑性変形させる上で非常に大きな圧力をかけるため、光源に歪や破壊が生じたり、光源保持ホルダを取り巻く環境変動がもたらす熱衝撃によって開放される大きな内部応力で、突起部が変形して光源を精確に保持できなくなる、などの問題があった。
【０００６】
そこで、例えば、ポリゴンミラーをフランジ部材の取付座面に取り付け、フランジ部材の突起部をカシメ型を用いて外方カシメ継ぎにより塑性変形させることで、ポリゴンミラーをフランジ部材に固定するポリゴンスキャナ駆動装置が知られている（特許文献１参照）。そして、当該特許文献１記載の発明によると、ポリゴンミラーにおけるかしめ固定を行う箇所の外側に、かしめ固定による光学面への影響を吸収する歪吸収用の溝が形成されているため、かしめ固定後も光学面を高精度に保つことができる。
【先行技術文献】
【特許文献】
【０００７】
【特許文献１】特開平９−２３０２６８号公報
【発明の概要】
【発明が解決しようとする課題】
【０００８】
しかしながら、特許文献１記載の発明によると、フランジ部材をポリゴンミラーの直上で塑性変形させてかしめ固定が行われる。そのため、光学面を除くポリゴンミラー自体には塑性変形時の大きな圧力が作用するため、歪や破壊が生じる可能性や、熱衝撃によって開放される大きな内部応力でフランジ部材が変形してポリゴンミラーを精確に保持できなくなる可能性がある。
そのため、特許文献１記載の発明を、光源を光源保持ホルダにかしめ固定する手法に用いる場合、電気部品である光源に歪や破壊が生ずることで当該光源が正常に作動しなくなるおそれや、環境変動による光源の保持性能低下がもたらす位置ずれによって、光源より出射される半導体レーザの発光点が理想的な位置からずれてしまい、レーザ走査光学装置の光量低下や光学性能悪化をもたらすおそれがある。
【０００９】
そこで、本発明の課題は、かしめ固定による光源の歪や破壊を防ぎ、且つ、かしめ固定後の環境変動に対する光源の保持性能が良い光源保持ホルダ、レーザ走査光学装置、画像形成装置、及び固定方法を提供することである。
【課題を解決するための手段】
【００１０】
以上の課題を解決するため、請求項１に記載の発明は、光源を保持する光源保持ホルダであって、本体部と、前記光源を挿入させ、当該挿入させた光源の光軸方向の位置決め用の座面部を有し、前記本体部を前記光軸方向に貫通する挿入孔と、前記挿入孔の縁より間隙部を隔てた位置に設けられ、前記本体部の上面に一端が固着され上方へ向けて突起した突起部と、を備え、前記座面部は、前記光源の本体上端が前記突起部の最下端よりも上方に位置するように前記光源を位置決めし、前記突起部は、前記一端の近傍である一端近傍部が治具に押圧された際、前記一端回りに回動し、前記一端近傍部が前記間隙部の上面に密着した状態へと塑性変形するとともに、当該突起部の他端の近傍である他端近傍部が前記挿入孔に挿入された光源の本体上端と当接して当該光源を上方より押圧することを特徴とする。
【００１１】
請求項５に記載の発明は、レーザ走査光学装置であって、半導体レーザ光を出射可能な
光源を保持する請求項１〜４の何れか１項に記載の光源保持ホルダと、前記光源より出射
される半導体レーザ光を平行光化する第一の光学系と、前記第一の光学系により平行光化
された半導体レーザ光を副走査方向について収束光に変換する第二の光学系と、前記第二
の光学系により収束光に変換された半導体レーザ光を偏向する偏向器と、前記偏向器にて
偏向された半導体レーザ光を感光体上に集光する第三の光学系と、を備えることを特徴と
する。
【００１２】
請求項６に記載の発明は、画像形成装置であって、請求項５に記載のレーザ走査光学装
置を備えたことを特徴とする。
【００１３】
請求項７に記載の発明は、光源を保持するための光源保持ホルダに前記光源を固定する固定方法であって、前記光源保持ホルダは、本体部と、前記光源を挿入させ当該挿入させた光源の光軸方向の位置決め用の座面部を有し前記本体部を前記光軸方向に貫通する挿入孔と、前記挿入孔の縁より間隙部を隔てた位置に設けられ前記本体部の上面に一端が固着され上方へ向けて突起した突起部と、を有し、前記座面部により前記光源の本体上端が前記突起部の最下端よりも上方に位置するように位置決めした光源を前記挿入孔に挿入させるステップと、前記突起部の前記一端の近傍である一端近傍部を治具で押圧し、当該突起部を前記一端回りに回動させるステップと、回動させた前記突起部の一端近傍部を前記間隙部の上面に密着させて塑性変形させるステップと、回動させた前記突起部の他端の近傍である他端近傍部を前記挿入孔に挿入された光源の本体上端と当接させて当該光源を上方より押圧するステップと、を備えることを特徴とする。
【発明の効果】
【００１４】
したがって、本発明は、かしめ固定による光源の歪や破壊を防ぎ、且つ、かしめ固定後の環境変動に対する光源の保持性能が良い光源保持ホルダ、レーザ走査光学装置、画像形成装置、及び固定方法を提供できる。
【図面の簡単な説明】
【００１５】
【図１】本発明の実施形態１に係る画像形成装置の概略構成を示す図である。
【図２】図１に示す画像形成装置に備わるレーザ走査光学装置の概略構成を示す図である。
【図３】図２のレーザ走査光学装置に備わる光源保持ホルダ及び光源の構造を模式的に表し、光源保持ホルダに光源を固定する前の状態を例示した図である。
【図４】図２のレーザ走査光学装置に備わる光源保持ホルダ及び光源の構造を模式的に表し、光源保持ホルダに光源を固定した後の状態を例示した図である。
【図５】図３のＶ−Ｖ断面図である。
【図６】図２に示す光源保持ホルダの光源を装着する前の状態を例示した図である。
【図７】図４のＶＩＩ−ＶＩＩ断面図である。
【図８】図７に示す光源保持ホルダ及び光源が熱衝撃により変形した状態を例示する図である。
【図９】本発明の実施形態１に係る光源保持ホルダに光源を固定する固定方法を説明するためのフローチャートである。
【図１０】図５に示す光源保持ホルダの変形例を例示する図である。
【発明を実施するための形態】
【００１６】
以下、実施形態１に係る画像形成装置について、図１〜図９を参照して説明する。
【００１７】
本実施形態に係る画像形成装置１０００は、例えば、複写機やプリンタ等として用いられ、図１に示すように、シアン色、マゼンタ色、イエロー色、ブラック色の各色ごとに設けられた複数のレーザ走査光学装置１と、レーザ走査光学装置１に応じて設けられた感光体ドラム等の感光体２００と、中間転写ベルト３００と、転写ローラ４００と、定着部５００と、等を備えて構成される。
【００１８】
当該画像形成装置１０００は、レーザ走査光学装置１より照射されるレーザ光によって感光された感光体２００でトナー像を形成して、中間転写ベルト３００上に当該トナー像を転写させる。さらに、画像形成装置１０００は、中間転写ベルト３００に転写されたトナー像を転写ローラ４００によって用紙Ｐに押圧して転写させ、定着部６によって当該用紙Ｐを加熱及び加圧することで、トナー像を用紙Ｐ上に定着する。そして、画像形成装置１０００は、当該用紙Ｐを排紙ローラ（図示省略）等により搬送してトレイ（図示省略）に排紙することで画像形成処理を行う。
【００１９】
ここで、レーザ走査光学装置１は、図２に示すように、感光体２００へ向けて出射したレーザ光Ｌで感光体２００を感光するための光学ハウジング２で構成される。当該レーザ走査光学装置１は、複数のレーザ光Ｌを感光体２００に同時に照射して、複数の走査ラインを同時に走査するマルチビーム方式が用いられる。
【００２０】
光学ハウジング２は、内部に、レーザ光Ｌを出射させる光源部１０と、光源部１０より出射されたレーザ光Ｌを平行光化させる第一の光学系１００と、第一の光学系１００を透過したレーザ光Ｌの副走査方向成分のみを収束させる第二の光学系１１０と、第二の光学系１１０を透過したレーザ光Ｌを偏向させる偏向器１２０と、偏向器１２０により偏向されたレーザ光Ｌを集光させる第三の光学系１３０と、偏向器１２０により偏向されたレーザ光Ｌの一部を集光させる第四の光学系１４０と、第四の光学系１４０を透過したレーザ光Ｌを入力するセンサ１５０と、を備える。
【００２１】
光源部１０は、直線状に配置された複数の発光点を持つ光源１１と、光源１１を保持する光源保持ホルダ２０と、を含んで構成される。
光源１１は、レーザ光Ｌを出射させる半導体レーザである。
光源保持ホルダ２０は、光源１１を保持するためのホルダであり、装着された光源１１をかしめ固定する。
ここで、光源保持ホルダ２０が光源１１をかしめ固定する構成については後述する。
【００２２】
第一の光学系１００は、コリメータレンズなどを含んで構成され、光源部１０より出射されたレーザ光を平行光化する。
第二の光学系１１０は、スリットやシリンドリカルレンズを含んで構成される。そして、第二の光学系１１０は、スリットにより、感光体２００上でビームスポットが整形されるように、第一の光学系１００により平行光化されたレーザ光Ｌの透過量を制限する。また、第二の光学系１１０は、シリンドリカルレンズにより、第一の光学系１００により平行光化されたレーザ光Ｌの副走査方向成分のみを収束させる。
【００２３】
偏向器１２０は、側面が鏡面からなる多角柱形状をしたポリゴンミラーと、ポリゴンミラーに回動力を付与して当該ポリゴンミラーを回動させるモータを含む。偏向器１２０は、第二の光学系１１０を透過したレーザ光Ｌを回転に応じた向きに偏向させる。そして、偏向器１２０は、当該偏向させたレーザ光Ｌを第三の光学系１３０を介して感光体２００の周面に照射する。この際、偏向器１２０は、回転位置に応じて感光体２００の長手方向の異なる位置にレーザ光Ｌを照射するため、主走査方向（図２における感光体２００の長手方向）へのレーザ光Ｌの走査を可能にする。
【００２４】
第三の光学系１３０は、偏向器１２０で偏向されたレーザ光Ｌを感光体２００表面に結像させる。
【００２５】
第四の光学系１４０は、シリンドリカルレンズなどを含んで構成される。そして、第四の光学系１４０は、偏向器１２０により偏向されたレーザ光Ｌの一部を集光して、当該集光したレーザ光Ｌをセンサ１５０に入射させる。
センサ１５０は、第四の光学系１４０により集光されたレーザ光Ｌを検出する光センサである。そして、レーザ走査光学装置１を備えた画像形成装置１０００の制御部（図示省略）は、当該センサ１５０より検出される検出信号に基づいて、感光体２００への書き出し位置のタイミング調整などを行う。
【００２６】
（光源保持ホルダが光源を固定する構成）
次に、図３〜図８を用いて、光源保持ホルダ２０が光源１１を固定する構成を説明する。なお、以下の説明では、図３に示す光源保持ホルダ２０の横方向をＸ軸方向、前後方向をＹ軸方向、光源保持ホルダ２０に固定される光源１１の光軸方向でありＸ軸及びＹ軸に直交する方向をＺ軸方向と便宜上定める。また、図２に示す光源保持ホルダ２０において、突起３１，３４が設けられた側を上側、上側と反対方向を下側、とする。
【００２７】
光源保持ホルダ２０は、図３及び図４に示すように、光源１１を装着した状態で、本体部２８の上面に形成された２つの突起部３１，３４をかしめ治具が押圧力Ｐ１で押圧して、先端が光源１１の上面に被さるように変形させることで当該光源１１をかしめ固定する。
【００２８】
ここで、光源１１は、図５に示すように、円柱形状をなす本体部１２と、本体部１２の上面に形成された端子１４と、で構成される。また、本体部１２は、上部にフランジ部１３を備える。フランジ部１３は、本体部１２の下部より大きな径からなる円柱形状をなす。ここで、当該フランジ部１３の上面を本体上端１３ａとする。本体上端１３ａは、端子１４を除いた光源１１の上端を表す。
【００２９】
光源保持ホルダ２０は、図６に示すように、八角柱状の本体部２８のＸＹ平面における中心位置に光源１１を挿入させるための挿入孔２１を備える。
当該挿入孔２１には、フランジ部１３より僅かに大きな径からなり、フランジ部１３を嵌合させて光源１１のＺ軸方向の位置決めを行うための座面部２２が形成される。つまり、フランジ部１３を座面部２２に嵌め込むことで、光源１１はＺ軸方向に位置決めされた状態で光源保持ホルダ２０に装着される。
【００３０】
また、光源保持ホルダ２０は、本体部２８の上面で且つ当該本体部２８のＸ軸方向の両端位置に、上述の突起部３１，３４を備える。さらに、光源保持ホルダ２０は、突起部３１，３４と挿入孔２１の縁との間に、スペース部４１，４２（間隙部）を有する。
【００３１】
突起部３１，３４は、挿入孔２１の縁よりスペース部４１，４２を隔てた位置に設けられ、上方へ向けて突起した梁状の部材である。ここで、突起部３１，３４のうち、本体部２８の上面に一端３２ａ，３５ａが固着された部分を第１突起部３２，３５（一端近傍部）、先端３３ａ，３６ａ（他端）が自由端からなる上側の部分を第２突起部３３，３６、とする。当該第１突起部３２，３５と第２突起部３３，３６とは端部３２ｂ，３５ｂにて連接される。そして、上記第１突起部３２，３５の一端３２ａ，３５ａが、それぞれ、突起部３１，３４の最下端を表しており、座面部２２は、図５に示すように、本体上端１３ａが一端３２ａ，３５ａよりも上方に位置するように光源１１の位置決めを行う。
【００３２】
スペース部４１，４２は、図６に示すように、突起部３１，３４と挿入孔２１の縁との間に設けられる間隙である。さらに、スペース部４１，４２は、Ｘ軸方向の中央位置近傍にスペース孔４１ａ，４２ａを有する。スペース孔４１ａ，４２ａは、本体部２８をＺ軸方向に貫通する孔である。ここで、スペース部４１，４２において、スペース孔４１ａ，４２ａで分離された箇所をそれぞれ、第１スペース部４１ｂ，４２ｂ、第２スペース部４１ｃ，４２ｃとする。
【００３３】
そのため、突起部３１，３４は、かしめ治具によって第１突起部３２，３５が図３及び図５に示す押圧力Ｐ１で押圧されると、第１突起部３２，３５の一端３２ａ，３５ａ回りに挿入孔２１へ向かって回動する。
ここで、回動した突起部３１，３４のうち第１突起部３２，３５は、図７に示すように、押圧力Ｐ１によって、第１スペース部４１ｂ，４２ｂの上面に密着した状態へと塑性変形する。
【００３４】
一方、突起部３１，３４のうち第２突起部３３，３６は、突起部３１，３４の最下端（一端３２ａ，３５ａ）よりも光源１１の本体上端１３ａが上方に位置するので、回動によって先端３３ａ，３６ａ近傍（他端近傍部）が本体上端１３ａに当接するまで傾斜する弾性変形を行うとともに、当接した位置で光源１１を押圧力Ｐ２で押圧して固定する。
ここで、第２突起部３３，３６は、第１突起部３２，３５のように直接かしめ治具に押圧されていないため、第２突起部３３，３６が光源１１に付与する押圧力Ｐ２は、第１突起部３２，３５を塑性変形させるためにかしめ治具が付与する押圧力Ｐ１より小さくなる。そのため、大きな押圧力Ｐ１が付与されても、第２突起部３３，３６が光源１１に歪や破壊をもたらすことを防げるので、突起部３１，３４は精度良く光源１１をかしめ固定する。
また、図８の破線で示すように、かしめ固定後の光源保持ホルダ２０に生じた温度変化による熱衝撃によって突起部３１，３４が変形した場合でも、図８の矢印で示すように、第２突起部３３，３６は弾性を保持しているので、フランジ部１３に追随するように変形する。そのため、第２突起部３３，３６とフランジ部１３との間に隙間が生じない（当接状態が保たれる）ので、光源１１の固定位置のずれが防止される。
【００３５】
また、図７に示すように、突起部３１，３４は、Ｘ軸方向（挿入孔２１に挿入された光源１１の径方向）における、第１突起部３２，３５の一端３２ａ，３５ａと反対側の端部３２ｂ，３５ｂの位置から第２突起部３３，３６の先端３３ａ，３６ａ近傍が光源１１の本体上端１３ａと当接する当接位置までの長さＤｂが、Ｚ軸方向（光源１１の光軸方向）におけるスペース部４１，４２の上面の位置から当接位置までの長さＤａよりも長くなるように構成される。そのため、押圧力Ｐ２のＺ軸方向成分はＸ軸方向成分よりも大きくなるので、突起部３１，３４は、外部よりノイズが作用した際に光源１１がＸ軸方向に変動することを防止できる。
【００３６】
さらに、第１突起部３２，３５に付与される押圧力Ｐ１によって第１スペース部４１ｂ，４２ｂに生ずる応力は、第２スペース部４１ｃ，４２ｃにまで及ぶことはない。これは、図７に示すように、スペース孔４１ａ，４２ａを設けることで、第２スペース部４１ｃ，４２ｃが、第２突起部３３，３６の弾性変形時に突起部３１，３４と接することなく、且つ、第１スペース部４１ｂ，４２ｂと分離されるためである。そのため、第２スペース部４１ｃ，４２ｃと連接された挿入孔２１は、押圧力Ｐ１による影響を受けない。その結果、挿入孔２１及び挿入孔２１に備わる座面部２２、挿入孔２１に挿入される光源１１、のかしめ固定時における変形や破壊が防止される。
【００３７】
加えて、図６に示すように、スペース孔４１ａ，４２ａは、Ｙ軸方向（突起部３１，３４の幅方向と平行な方向）の長さＤｃが、突起部３１，３４のＹ軸方向の長さＤｄよりも長くなるように構成される。そのため、挿入孔２１は、一層確実に押圧力Ｐ１による影響が防止される。
【００３８】
（固定方法）
次に、図９のフローチャートを用いて、かしめ治具で光源保持ホルダ２０に光源１１を固定する固定方法について説明する。
【００３９】
まず、光源１１を光源保持ホルダ２０の挿入孔２１に挿入する（ステップＳ１１）。この際、座面部２２により光源１１の本体上端１３ａが突起部３１，３４の最下端を表す一端３２ａ，３５ａよりも上方に位置するように位置決めされる。
【００４０】
次いで、かしめ治具によって第１突起部３２，３５を押圧力Ｐ１で押圧し、突起部３１，３４を一端３２ａ，３５ａ回りに挿入孔２１へ向かって回動させる（ステップＳ１２）。
【００４１】
そして、回動した突起部３１，３４のうち第１突起部３２，３５は、押圧力Ｐ１によって、第１スペース部４１ｂ，４２ｂの上面に密着した状態へと塑性変形する。（ステップＳ１３）。
【００４２】
また、突起部３１，３４のうち第２突起部３３，３６は、先端３３ａ，３６ａ近傍が本体上端１３ａに当接するまで傾斜する弾性変形を行い、当接した位置で光源１１を上方より押圧して固定する。（ステップＳ１４）。
【００４３】
以上により、本実施形態に係る画像形成装置１０００に備わるレーザ走査光学装置１の光源保持ホルダ２０によると、突起部３１，３４のうち第２突起部３３，３６は、第１突起部３２，３５のように直接かしめ治具に押圧されていない。そのため、かしめ治具より第１突起部３２，３５に大きな押圧力が付与されても、第２突起部３３，３６が光源１１に歪や破壊をもたらすことを防げるので、光源保持ホルダ２０は精度良く光源１１をかしめ固定できる。また、第１突起部３２，３５が押圧された際、第２突起部３３，３６は弾性を保持しているので、かしめ固定後の環境変動がもたらす熱衝撃によって突起部３１，３４が変形した場合でも、フランジ部１３に追随するように変形する。そのため、第２突起部３３，３６とフランジ部１３との間に隙間が生じないので、光源保持ホルダ２０は光源１１の固定位置のずれを防止できる。
したがって、光源保持ホルダ２０、レーザ走査光学装置１、画像形成装置１０００、及び光源保持ホルダ２０に光源１１を固定する固定方法は、かしめ固定による光源の歪や破壊を防ぎ、且つ、かしめ固定後の環境変動に対する光源の保持性能が良い光源保持ホルダ、レーザ走査光学装置、画像形成装置、及び固定方法といえる。
【００４４】
また、Ｘ軸方向における、第１突起部３２，３５の端部３２ｂ，３５ｂの位置から第２突起部３３，３６の先端３３ａ，３６ａ近傍が光源１１の本体上端１３ａと当接する位置までの長さＤｂは、Ｚ軸方向におけるスペース部４１，４２の上面の位置から当接位置までの長さＤａよりも長い。そのため、第２突起部３３，３６が光源１１に付与する押圧力のＺ軸方向成分はＸ軸方向成分よりも大きくなるので、光源保持ホルダ２０は、外部よりノイズが作用した際に光源１１がＸ軸方向に変動することを防止できる。
【００４５】
また、スペース部４１，４２は、本体部２８をＺ軸方向に貫通するスペース孔４１ａ，４２ａを備える。そのため、第２スペース部４１ｃ，４２ｃは、第２突起部３３，３６の弾性変形時に突起部３１，３４と接することなく、且つ、第１スペース部４１ｂ，４２ｂと分離される。つまり、かしめ治具に付与される押圧力によって第１スペース部４１ｂ，４２ｂに生ずる応力は第２スペース部４１ｃ，４２ｃにまで及ばないので、挿入孔２１及び挿入孔２１に備わる座面部２２、挿入孔２１に挿入される光源１１、のかしめ固定時における変形や破壊を防止できる。
【００４６】
また、スペース孔４１ａ，４２ａのＹ軸方向の長さＤｃは、突起部３１，３４のＹ軸方向の長さＤｄよりも長い。そのため、挿入孔２１へのかしめ治具の押圧力による影響は、一層確実に防止される。
【００４７】
「変形例１」
次いで、実施形態１に係る光源保持ホルダ２０の変形例１について説明する。
光源保持ホルダ２０では、スペース部４１，４２に本体部２８をＺ軸方向に貫通するスペース孔４１ａ，４２ａを備える構成としたが、図１０の光源保持ホルダ２０ａに示すように、本体部２８を上面よりくり抜いたスペース溝４３，４４を備える構成としてもよい。
このようにスペース溝４３，４４を設けることで、第２スペース部４１ｃ，４２ｃは、第２突起部３３，３６の弾性変形時に突起部３１，３４と接することがない。つまり、かしめ治具に付与される押圧力Ｐ１によって第１スペース部４１ｂ，４２ｂに生ずる応力の影響は、第２スペース部４１ｃ，４２ｃにおいて十分に軽減されるので、挿入孔２１及び挿入孔２１に備わる座面部２２、挿入孔２１に挿入される光源１１、のかしめ固定時における変形や破壊を防止できる。
【００４８】
なお、以上の実施形態における記述は、本発明に係る好適な光源保持ホルダ、レーザ走査光学装置、画像形成装置、及び固定方法の一例であり、これに限定されるものではない。
また、以上の実施形態における光源保持ホルダ、レーザ走査光学装置、画像形成装置を構成する各部の細部構成及び細部動作に関して本発明の趣旨を逸脱することのない範囲で適宜変更可能である。
【００４９】
具体的には、例えば、光源保持ホルダ２０，２０ａでは、本体部２８の上面に２つの突起部３１，３４を設けた構成としたが、第２突起部が光源１１の本体上面を等間隔に３箇所から固定するように、３つの突起部を設ける構成としても勿論良い。
【符号の説明】
【００５０】
１０００            画像形成装置
１                  レーザ走査光学装置
２                  光学ハウジング
１０                光源部
１１                光源
１２                本体部
１３                フランジ部
１３ａ              本体上端
１４                端子
２０                光源保持ホルダ
２１                挿入孔
２２                座面部
２８                本体部
３１，３４          突起部
３２，３５          第１突起部（一端近傍）
３２ａ，３５ａ      一端
３２ｂ，３５ｂ      端部
３３，３６          第２突起部
３３ａ，３６ａ      先端（他端）
４１，４２          スペース部（間隙部）
４１ａ，４２ａ      スペース孔
４１ｂ，４２ｂ      第１スペース部
４１ｃ，４２ｃ      第２スペース部
１００              第１光学系
１１０              第２光学系
１２０              偏向器
１３０              第３光学系
１４０              第４光学系
１５０              センサ
２００              感光体
２０ａ              光源保持ホルダ
４３，４４          スペース溝
【図１】
2012113005.tif 000003
【図２】
2012113005.tif 000004
【図３】
2012113005.tif 000005
【図４】
2012113005.tif 000006
【図５】
2012113005.tif 000007
【図６】
2012113005.tif 000008
【図７】
2012113005.tif 000009
【図８】
2012113005.tif 000010
【図９】
2012113005.tif 000011
【図１０】
2012113005.tif 000012